(57)【要約】【課題】半挿入状態にある端子金具をリテーナによって正規挿入位置へ押し込む際に、押し込み動作が円滑に行われるようにする。【解決手段】リテーナ３０はその係止部３１をキャビティ１４外へ退避させることでキャビティ１４内への端子金具５０の挿入動作を許容しつつ、コネクタハウジング１０に仮係止される仮係止位置Ａと、キャビティ１４内に端子金具５０を挿入した後、仮係止位置Ａから端子金具５０の挿入方向と交差する方向に移動することで、係止部３１を受け部５２より後方に位置させる待機位置Ｂと、待機位置Ｂから端子金具５０の挿入方向に沿って移動して、その移動途上で受け部５２に係止部３１を押し当てることで端子金具５０の押し込みを可能とし、かつ、その移動終端でコネクタハウジング１０に本係止される本係止位置Ｃとに変位可能とされる。【選択図】図２
2008027615.tif 000002
【特許請求の範囲】
【請求項１】
後方から電線の端末に接続された端子金具を挿入可能なキャビティを有するコネクタハウジングと、
前記コネクタハウジングに対して後方から組み付けられ、前記電線と非干渉に配された係止部によって前記端子金具を抜け止め状態で係止するリテーナとを備え、
前記リテーナは、前記係止部を前記キャビティ外へ退避させることで前記キャビティ内への前記端子金具の挿入動作を許容しつつ、前記コネクタハウジングに仮係止される仮係止位置と、
前記キャビティ内に前記端子金具を挿入した後、前記仮係止位置から前記端子金具の挿入方向と交差する方向に移動することで、前記係止部を前記受け部より後方に位置させる待機位置と、
前記待機位置から前記端子金具の挿入方向に沿って移動して、その移動途上で前記受け部に前記係止部を押し当てることで前記端子金具の押し込みを可能とし、かつ、その移動終端で前記コネクタハウジングに本係止される本係止位置とに変位可能とされることを特徴とするコネクタ。
【請求項２】
前記端子金具は前記電線の端末に対して幅方向の両側から巻き付けられるかしめ片を備え、前記受け部は、前記かしめ片の後端縁に形成されるものであり、かつ、前記かしめ片の後端縁における幅方向の両端部に前記係止部との接触面を有することを特徴とする請求項１に記載のコネクタ。
【請求項３】
前記リテーナは前記コネクタハウジングの外周面を被覆可能な周壁を備え、前記周壁の内周面と前記コネクタハウジングの外周面のうちのいずれか一方には係合突部が設けられ、他方には係合溝が設けられており、前記係合溝に沿って前記係合突部が摺動することで、前記リテーナが変位案内されるものであり、かつ、
前記係合溝は、前記リテーナが前記仮係止位置から前記待機位置へと向かう場合に通過する垂直溝と、前記リテーナが前記待機位置から前記本係止位置へと向かう場合に通過する水平溝とからＬ字状をなしていることを特徴とする請求項１または請求項２に記載のコネクタ。
【発明の詳細な説明】
【技術分野】
【０００１】
本発明は、リテーナを備えたコネクタに関する。
【背景技術】
【０００２】
特許文献１には、コネクタハウジングにヒンジを介してリテーナを取り付けたコネクタが開示されている。このコネクタハウジングは前後方向に貫通するキャビティを有し、キャビティ内に後方から端子金具が挿入される。そして、リテーナは、コネクタハウジングの外側方に浮いた状態で配される非係止位置と、この非係止位置から斜め前方へ移動して、コネクタハウジングの外側面に組み付け状態で連なる本係止位置とに変位可能とされる。リテーナは、非係止位置ではキャビティ外へ退避されることでキャビティ内への端子金具の挿入動作を許容し、本係止位置ではキャビティ内に進入することによって同キャビティ内に挿入された端子金具を抜け止め係止する。また、リテーナは、本係止位置へと至る過程で未だ正規挿入されていない端子金具をその後方から押しやって正規挿入位置へと至らすようになっている。
【特許文献１】特開平７−３２０８０８号公報
【発明の開示】
【発明が解決しようとする課題】
【０００３】
ところで、上記したリテーナは、同リテーナが斜め前方へ移動しながら半挿入状態の端子金具を正規挿入位置へ押し込むという構成であって、その移動方向が端子金具の挿入方向と交差する関係にある。そのため、リテーナは、端子金具に対する押し込み領域をその移動に伴い徐々に増加させる方向に変化させることになり、端子金具に対して一定してバランスのよい押圧力を付与し難いという問題があった。  
また、リテーナは、キャビティの長さ方向途中に進入するという構成であるため、その進入位置にて半挿入状態の端子金具の外壁と干渉する可能性もあり、そうすると、端子金具を正規挿入位置へ誘導できないばかりか、自身の本係止位置への移動操作も規制されるという問題があった。
【０００４】
本発明は上記のような事情に基づいて完成されたものであって、半挿入状態にある端子金具をリテーナによって正規挿入位置へ押し込む際に、端子金具に対してバランスのよい押圧力を付与するとともに、押し込み操作の円滑性を保障することを目的とする。
【課題を解決するための手段】
【０００５】
上記の目的を達成するための手段として、請求項１の発明は、後方から電線の端末に接続された端子金具を挿入可能なキャビティを有するコネクタハウジングと、前記コネクタハウジングに対して後方から組み付けられ、前記電線と非干渉に配された係止部によって前記端子金具を抜け止め状態で係止するリテーナとを備え、前記リテーナは、前記係止部を前記キャビティ外へ退避させることで前記キャビティ内への前記端子金具の挿入動作を許容しつつ、前記コネクタハウジングに仮係止される仮係止位置と、前記キャビティ内に前記端子金具を挿入した後、前記仮係止位置から前記端子金具の挿入方向と交差する方向に移動することで、前記係止部を前記受け部より後方に位置させる待機位置と、前記待機位置から前記端子金具の挿入方向に沿って移動して、その移動途上で前記受け部に前記係止部を押し当てることで前記端子金具の押し込みを可能とし、かつ、その移動終端で前記コネクタハウジングに本係止される本係止位置とに変位可能とされる構成としたところに特徴を有する。
【０００６】
請求項２の発明は、請求項１に記載のものにおいて、前記端子金具は前記電線の端末に対して幅方向の両側から巻き付けられるかしめ片を備え、前記受け部は、前記かしめ片の後端縁に形成されるものであり、かつ、前記かしめ片の後端縁における幅方向の両端部に前記係止部との接触面を有するところに特徴を有する。
【０００７】
請求項３の発明は、請求項１または請求項２に記載のものにおいて、前記リテーナは前記コネクタハウジングの外周面を被覆可能な周壁を備え、前記周壁の内周面と前記コネクタハウジングの外周面のうちのいずれか一方には係合突部が設けられ、他方には係合溝が設けられており、前記係合溝に沿って前記係合突部が摺動することで、前記リテーナが変位案内されるものであり、かつ、前記係合溝は、前記リテーナが前記仮係止位置から前記待機位置へと向かう場合に通過する垂直溝と、前記リテーナが前記待機位置から前記本係止位置へと向かう場合に通過する水平溝とからＬ字状をなしているところに特徴を有する。
【発明の効果】
【０００８】
＜請求項１の発明＞
コネクタハウジングに対して後方からリテーナを組み付けて仮係止位置に留め置き、その状態でキャビティ内に後方から端子金具を挿入する。続いて、リテーナを端子金具の挿入方向と交差する方向に移動させて待機位置へと至るようにし、リテーナの係止部を端子金具の受け部より後方に位置させる。さらにその状態から、リテーナを端子金具の挿入方向に沿って移動させる。すると、キャビティ内に正規深さで挿入されていない、半挿入状態の端子金具は、リテーナによって挿入方向に押し込まれて正規挿入位置へと誘導される。すなわち、リテーナは、仮係止位置から本係止位置へと至る間にいったん待機位置で待機状態となり、そこから端子金具の挿入方向に沿って移動するという構成であるから、端子金具の受け部にリテーナの係止部を一定範囲で均等に作用させる可能となり、端子金具に対してバランスのよい押圧力を付与することが可能となる。また、待機位置では、リテーナの係止部が端子金具の受け部より後方に位置する構成であるから、本係止位置への移動時、端子金具の外壁にリテーナが干渉し移動操作が規制されるようなことはない。結果、端子金具の押し込み動作がスムーズに進行する。
【０００９】
＜請求項２の発明＞
リテーナは、その係止部をかしめ片の後端縁における幅方向の両端部に押し当てた状態で、半挿入状態の端子金具を正規挿入位置へと誘導可能であるから、端子金具に対していっそうバランスのよい押圧力を付与できる。
【００１０】
＜請求項３の発明＞
リテーナの変位動作を案内する係合溝がＬ字状をなし垂直溝と水平溝とに明確に区分けされているから、リテーナの移動ルートが仮係止位置から本係止位置へと至る過程で必ず待機位置を経ることを強制させられる。結果、リテーナが偶発的に仮係止位置から本係止位置へと一挙に押し込まれる事態を回避できる。
【発明を実施するための最良の形態】
【００１１】
＜実施形態１＞
本発明の実施形態１を図１ないし図９によって説明する。本実施形態のコネクタは、コネクタハウジング１０と、このコネクタハウジング１０に取り付けられるリテーナ３０とを備える。
【００１２】
コネクタハウジング１０は合成樹脂製であって、図４および図５に示すように、全体としてブロック状をなすハウジング本体１１と、ハウジング本体１１の外周面の後部側から周方向に張り出すフランジ部１２と、フランジ部１２の外周縁より後方に突き出して取付対象に取り付けられる取付片１３とを備える。ハウジング本体１１には後方から端子金具５０を挿入可能なキャビティ１４が前後方向に貫通して形成されている。キャビティ１４は、各端子金具５０を個別に挿入可能であって幅方向および高さ方向に複数整列して配置され、ハウジング本体１１の後面において円形に開口される。キャビティ１４の内壁には撓み変形可能なランス１５が形成されており、このランス１５に、キャビティ１４内に正規挿入された端子金具５０が弾性的に係止される。
【００１３】
端子金具５０は、詳しくは図示しないが、導電性金属板を曲げ加工等して形成されるものであり、電線６０の端末に接続された状態で、図示しない相手側コネクタハウジングに収容された相手側端子金具に導通接続可能とされる。そして、端子金具５０は、図８に示すように、その後部側に電線６０の端末被覆６１に対して左右両側から包むように巻きつけられるかしめ片５１を備えている。かしめ片５１は、電線６０の端末被覆６１の外周面に圧着状態で取り付けられ、その板厚の分だけ電線６０の外周面より外側に突出している。かしめ片５１の後端縁（以下、受け部５２という）は、その幅方向の両端部に、リテーナ３０に設けられた係止部３１との接触面５２Ａを有している。
【００１４】
コネクタハウジング１０（ハウジング本体１１）の後部、詳しくはコネクタハウジング１０のうちのフランジ部１２より後方側には、その上端の幅方向中央部が両端部より一段高くなる形態の突出部１６が設けられ、この突出部１６によって最上段のキャビティ１４が全周に亘って閉止されている。  
また、コネクタハウジング１０（ハウジング本体１１）の後部の外周面には、周方向に間隔をあけて複数のリテーナ係止部１７が突設されている。詳しくはリテーナ係止部１７は、突出部１６の上端面の前後方向略中央部に一つ、両側面の下部側の前後方向略中央部に一つずつ、配置され、両側面の下部側におけるリテーナ係止部１７は同じ高さ位置に配されている。リテーナ係止部１７は、周方向（前後方向と直交する方向）に延びるリブ状をなし、その後面が前方へ向かって上り勾配となるテーパ面１７Ａとされ、その前面が略垂直に切り立つ係止面１７Ｂとされる。
【００１５】
そして、コネクタハウジング１０（ハウジング本体１１）の後部の外周面には、周方向に間隔をあけて複数の係合溝１８が凹設されている。図示する場合、係合溝１８は、コネクタハウジング１０の一側面に高さ方向に間隔をあけて一対設けられるとともに、ここと反対側となるコネクタハウジング１０の他側面の、取付片１３を避けた下部に一つ設けられ、他側面の係合溝１８は一側面の各係合溝１８とは異なる高さ位置に配される。この係合溝１８にはリテーナ３０側に設けられた係合突部３２が進入して係合可能とされる。詳しくは係合溝１８は、図９に示すように、上部後方にてコネクタハウジング１０の後面に開口しつつ下方へ延出される垂直溝１９と、垂直溝１９の下部から前方へ水平に延出される水平溝２１とからなる。コネクタハウジング１０の一側面に設けられたリテーナ係止部１７は、垂直溝１９より後方で、かつ水平溝２１より上方に配置されている。
【００１６】
さらに、コネクタハウジング１０における垂直溝１９の上部には、コネクタハウジング１０の後面を臨む位置に縦リブ２２が垂直に延出して設けられるとともに、水平溝２１に連なる垂直溝１９の下部との境界に横リブ２３が水平に延出して設けられ、かつ、これら縦リブ２２と横リブ２３とで区画された略方形の領域に導入部２４が設けられている。縦リブ２２と横リブ２３は、いずれも断面三角形状をなして係合溝１８の深さより低い突出寸法をもって構成され、ここを係合突部３２が乗り越え可能となっている。また、導入部２４はその後方から係合突部３２を受け入れ可能となっている。係合溝１８の外縁のうち、導入部２４と対応するコーナー部分は、略直角に縁取られ、その他のコーナー部分（水平溝２１の終端コーナー部分など）は、円弧状に縁取られている。
【００１７】
続いて、リテーナ３０について説明する。リテーナ３０は同じく合成樹脂製であって、図１、図６および図７に示すように、コネクタハウジング１０の後面に対向して配されるリテーナ本体３３と、リテーナ本体３３の外周縁から前方へ突出してコネクタハウジング１０の後部外周面を覆う周壁３４とからなり、全体としてキャップ状をなしている。かかるリテーナ３０は、いわゆるリヤリテーナまたはバックリテーナと称されるものであって、コネクタハウジング１０に対して後方から取り付けられ、端子金具５０を後方から押さえてそのキャビティ１４からの抜け出しを阻止する役割を果たす。
【００１８】
リテーナ本体３３は、コネクタハウジング１０の後面と対応する形態であって板状をなし、コネクタハウジング１０の後面より一回り大きく形成されている。そして、リテーナ本体３３は、幅方向に複数列、詳しくは四列となって板厚方向に貫通する電線通し孔３５，３６を有し、この電線通し孔３５，３６に電線６０が挿通可能となっている。電線通し孔３５，３６は、キャビティ１４と対応して円形に開口された円形開口孔３５と、列毎に配されて高さ方向で隣接する円形開口孔３５同士を連通するとともに最上段の円形開口孔３５より上方にも延出される連通開口孔３６とからなる。連通開口孔３６は、コネクタハウジング１０の高さ方向（上下方向）に同軸で貫通しており、ここに電線６０を通した状態でリテーナ３０の高さ方向（上下方向）の移動操作を許容している。
【００１９】
リテーナ本体３３の前面、つまりリテーナ本体３３のうちコネクタハウジング１０の後面と対向する面には、連通開口孔３６の前面開口縁と対応する位置に、端子金具５０を後方から押圧可能とした係止部３１が設けられている。係止部３１は、連通開口孔３６の前面開口縁から前方へ突出するとともに円形開口孔３５の孔縁に沿った円弧部分を含む形態であって、キャビティ１４内に後方から進入可能とされ、端子金具５０の受け部５２に押し当て可能とされる。詳しくは係止部３１は、キャビティ１４のうちの幅方向両端部に進入可能であって、キャビティ１４毎に幅方向に一対ずつ設けられている。キャビティ１４内にて相対向する係止部３１間の距離は、電線６０の外径と同一または電線６０の外径より少し大きい。
【００２０】
リテーナ３０の周壁３４は、左右の両側壁４３と上壁４５とから門型枠状をなし、開放された下面からコネクタハウジング１０の後部を受け入れ可能となっている。リテーナ３０の周壁３４には、コネクタハウジング１０側のリテーナ係止部１７と対応する位置に配され、リテーナ係止部１７に係止可能なリテーナ係止受け部３７，３８が形成されている。リテーナ係止受け部３７，３８は、リテーナ本体３３の前面に開口して前後方向に延びる係止受け溝３７を備えるとともに、この係止受け溝３７より前方に、内外に撓み変形可能な係止壁３８を備えている。周壁３４の後端には、係止受け溝３７上を横切って補強壁３９が架設されており、この補強壁３９によって係止受け溝３７の根元周りが補強されている。
【００２１】
また、リテーナ３０の周壁３４には、同周壁３４の内周面から内側へ突出する円柱状の係合突部３２が設けられている。係合突部３２は、周壁３４の前後方向中央位置より前方であってコネクタハウジング１０側の係合溝１８と対応する位置に配され、つまり、両側壁４３のうちの一方に高さ方向に間隔をあけて一対設けられ、他方に一つ設けられている。リテーナ本体３３には、係合突部３２の成形に伴って型抜き孔４１が開口して設けられる。そして、係合突部３２は、根元部では中間部に向けて徐々に縮径され、中間部では一定径で延出され、先端部では係合溝１８への誘い込み用として外周縁が面取りされた形態となっており、中間部の外径が係合溝１８の溝幅とほぼ同一とされる。
【００２２】
かかるリテーナ３０は、図９に示すように、リテーナ本体３３をコネクタハウジング１０の後面から浮かせつつ正規挿入位置（後述する本係止位置Ｃと同じ）に対して斜め後方に配される仮係止位置Ａと、この仮係止位置Ａから垂直下方へ移動させられ、正規挿入位置と同じ高さ位置であって係止部３１をキャビティ１４の後面より後方に位置させる待機位置Ｂと、この待機位置Ｂから端子金具５０の挿入方向に沿った前方へ移動させられ、リテーナ本体３３をコネクタハウジング１０の後面に当接可能としつつ係止部３１をキャビティ１４内に後方から進入させる本係止位置Ｃとに変位可能とされる。
【００２３】
このリテーナ３０の変位動作は、係合溝１８と係合突部３２との摺接動作によって案内される。そして、リテーナ３０は、仮係止位置Ａでは、係合溝１８における導入部２４に係合突部３２が進入し、係合突部３２が縦リブ２２に係止されることによって係合溝１８からの抜け出しが規制され、かつ、係合突部３２が横リブ２３に係止されることによって待機位置Ｂへの移動操作が規制される。また、リテーナ３０は、待機位置Ｂでは、係合突部３２が横リブ２３に係止されることによって仮係止位置Ａへの戻り操作が規制され、かつ、係止壁３８がリテーナ係止部１７のテーパ面１７Ａと本係止位置Ｃへの移動方向（端子金具５０の挿入方向）で当たり合うことで本係止位置Ｃへの移動操作が規制される。さらに、リテーナ３０は、本係止位置Ｃでは、リテーナ係止部１７が係止受け溝３７に弾性的に嵌り込み、その状態で係止壁３８がリテーナ係止部１７の係止面１７Ｂとリテーナ３０の抜け方向で当たり合うことで、待機位置Ｂへの戻り操作が強く規制される。
【００２４】
次に、本実施形態のコネクタの組み付け手順を説明する。まず、電線６０の端末被覆６１にかしめ片５１等をかしめ付けして接続させ、電線６０の端末に端子金具５０を取り付ける。  
また、コネクタハウジング１０の後部にリテーナ３０を取り付ける。取り付けに際し、係合突部３２に縦リブ２２を弾性的に乗り越えさせ、係合突部３２を係合溝１８における導入部２４に進入させることで、リテーナ３０をいったん仮係止位置Ａに留め置く（図１および図９の一段目と二段目を参照）。リテーナ３０が仮係止位置Ａにあるときには、リテーナ本体３３における円形開口孔３５がキャビティ１４と整合状態で連通し合う。続いて、上記した電線６０付きの端子金具５０を後方から円形開口孔３５を通してキャビティ１４内へ挿入する。このとき、係止部３１はキャビティ１４間の仕切り壁に対向して配されており、キャビティ１４から退避された状態にある。端子金具５０がキャビティ１４内に正規深さで挿入されると、端子金具５０はランス１５により一次的に弾性係止されることになる。
【００２５】
次いで、仮係止位置Ａにあるリテーナ３０を下方へ押し込み、係合突部３２に横リブ２３を弾性的に乗り越えさせることで、係合突部３２を垂直溝１９に沿わせつつリテーナ３０を待機位置Ｂへと至らす（図２および図９の三段目を参照）。リテーナ３０が待機位置Ｂにあるときには、リテーナ本体３３における連通開口孔３６がキャビティ１４と連通して、電線６０が連通開口孔３６を通して外部へ導出されることになる。また、待機位置Ｂでは、キャビティ１４毎に一対の係止部３１が電線６０の外周面に沿いつつ端子金具５０の受け部５２（かしめ片５１の後端縁）の幅方向両端部より後方に位置し、受け部５２と前後方向に同軸で対向する。
【００２６】
この状態からリテーナ３０を端子金具５０の挿入方向となる前後方向に沿って押し込み、係合突部３２を水平溝２１に沿わせつつリテーナ３０を本係止位置Ｃへと至らす（図３および図９の四段目を参照）。本係止位置Ｃでは、係合突部３２が水平溝２１の終端に位置してそれ以上前方への押し込み操作が規制される。リテーナ３０が本係止位置Ｃに至る過程では、リテーナ３０の係止壁３８がリテーナ係止部１７に乗り上げられて周壁３４が撓み変形させられる。そして、リテーナ３０が本係止位置Ｃに至るや、周壁３４が弾性復帰しつつ係止受け溝３７にリテーナ係止部１７が嵌り、係止壁３８の後方にリテーナ係止部１７の係止面１７Ｂが対面して、リテーナ３０がコネクタハウジング１０に離脱規制状態で係止される。
【００２７】
ところで、端子金具５０の中には、キャビティ１４内に正規深さで挿入されずに正規挿入位置より手前で留まっている、いわゆる半挿入状態の端子金具５０がある。このような半挿入状態の端子金具５０は、リテーナ３０が待機位置Ｂから本係止位置Ｃへ移動する過程で、リテーナ３０の係止部３１が受け部５２の幅方向両端部に後方から押し当たり、係止部３１との当接状態を保ちつつその挿入方向に沿って押し込まれる。そして、リテーナ３０が本係止位置Ｃに至ると同時に、半挿入状態の端子金具５０も正規挿入位置に到達してランス１５により弾性係止される。かくしてリテーナ３０が本係止位置Ｃに至ると、半挿入状態の端子金具５０は、図８に示すように、当初から正規挿入されていた端子金具５０ともども、その受け部５２をリテーナ３０の係止部３１にキャビティ１４からの抜け出し方向で対面させた状態で二次的に係止させ、キャビティ１４から確実に抜け止めされる。
【００２８】
以上説明したように本実施形態によれば、リテーナ３０は、仮係止位置Ａ、待機位置Ｂ、本係止位置Ｃと順次変位するものであって、待機位置Ｂから本係止位置Ｃへ向かう過程では半挿入状態の端子金具５０をその挿入方向に沿って正規挿入位置へと押し込む構成であるから、移動の間、端子金具５０の受け部５２に対して後方から一定で均等な押圧力を付与することが可能となり、端子金具５０の押し込み動作の円滑性が確保される。また、待機位置Ｂでは、リテーナ３０の係止部３１が、キャビティ１４の後面より後方にあって端子金具５０の受け部５２より必ず後方に位置するようにしてあるから、リテーナ３０が端子金具５０の受け部５２以外の箇所で干渉することがなく、端子金具５０の押し込み動作がいっそうスムーズになされる。
【００２９】
また、リテーナ３０は、その係止部３１を端子金具５０の受け部５２（かしめ片５１の後端縁）における幅方向両端部に押し当てた状態で、半挿入状態の端子金具５０を正規挿入位置へと誘導可能であるから、端子金具５０に対し、その幅方向の偏心位置から押圧力を作用させることがなく、幅方向にバランスのよい押圧力を付与できる。さらに、リテーナ３０の変位動作を案内する係合溝１８がＬ字状をなし、垂直溝１９と水平溝２１とに略直交する位置関係で区分けされているから、リテーナ３０の移動ルートが仮係止位置Ａから本係止位置Ｃへと至る過程で強制的に待機位置Ｂを経ることになる。その結果、リテーナ３０が偶発的に仮係止位置Ａから本係止位置Ｃへと一挙に押し込まれる事態を回避でき、押し込み動作の信頼性を担保できる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明によれば、リテーナはヒンジを介してコネクタハウジングに一体的に取り付けられていてもよい。  
（２）本発明によれば、コネクタハウジングの外側面に係合突部が設けられ、リテーナの周壁の内側面に係合溝が設けられていてもよい。  
（３）本発明によれば、リテーナは仮係止位置から待機位置へ向かう過程で端子金具の挿入方向と交差していればよく、必ずしも挿入方向と直交していなくてもよい。例えば、リテーナは、仮係止位置から待機位置へ向かう過程では水平軸に対し斜めに移動するものであってもよい。  
（４）本発明によれば、端子金具のかしめ片は電線の端末に嵌着されたシール栓に巻き付けられるものであってもよい。
【図面の簡単な説明】
【００３１】
【図１】本発明の実施形態１において、リテーナが仮係止位置にある状態を示す斜視図
【図２】リテーナが待機位置にある状態を示す斜視図
【図３】リテーナが本係止位置にある状態を示す斜視図
【図４】コネクタハウジングの背面図
【図５】コネクタハウジングの側面図
【図６】リテーナの背面図
【図７】リテーナの側面図
【図８】係止部が受け部を係止する状態を示す要部拡大背面図
【図９】係合突部が係合溝を移動する状態を示す要部拡大側面図
【符号の説明】
【００３２】
１０…コネクタハウジング
１１…ハウジング本体
３０…リテーナ
３１…係止部
３３…リテーナ本体
３４…周壁
３５…円形開口孔
３６…連通開口孔
３７…係止受け溝
３８…係止壁
３９…補強壁
【図１】
2008027615.tif 000003
【図２】
2008027615.tif 000004
【図３】
2008027615.tif 000005
【図４】
2008027615.tif 000006
【図５】
2008027615.tif 000007
【図６】
2008027615.tif 000008
【図７】
2008027615.tif 000009
【図８】
2008027615.tif 000010
【図９】
2008027615.tif 000011